(57)【要約】      （修正有）【課題】低消費電力、長寿命かつ破損する可能性の低い表示装置を提供する。【解決手段】表示装置１００であって、可撓性を有する表示部１０２と、前記表示部１０２の一部または全部を変形させて格納する格納部１０６と、前記表示部１０２を加熱する加熱部と、前記表示部の温度を測定する温度測定部１２０，１２２と、前記温度測定部１２０，１２２が測定した温度に応じて、前記表示部１０２の前記格納部１０６への格納又は前記格納部１０６からの引き出しを制御するとともに、前記表示部１０２の前記格納部１０６への格納又は前記格納部からの引き出しをしないように制御する場合に前記加熱部が前記表示部１０２を加熱するように制御する制御部１２６と、を有する。【選択図】図１
2019219449.tif 000002
【特許請求の範囲】
【請求項１】
可撓性を有する表示部と、
前記表示部の一部または全部を変形させて格納する格納部と、
前記表示部を加熱する加熱部と、
前記表示部の温度を測定する温度測定部と、
前記温度測定部が測定した温度に応じて、前記表示部の前記格納部への格納又は前記格納部からの引き出しを制御するとともに、前記表示部の前記格納部への格納又は前記格納部からの引き出しをしないように制御する場合に前記加熱部が前記表示部を加熱するように制御する制御部と、
を有する表示装置。
【請求項２】
前記制御部は、前記温度測定部が測定した温度が所定の温度より高い場合に前記表示部の前記格納部への格納又は前記格納部からの引き出しがされるように制御し、前記所定の温度より低い場合に前記表示部の前記格納部への格納又は前記格納部からの引き出しをしないように制御することを特徴とする請求項１に記載の表示装置。
【請求項３】
前記加熱部は、前記格納部の内部の少なくとも２か所に配置され、
前記温度測定部は、少なくとも２か所に配置された前記加熱部それぞれに対応して配置され、
前記制御部は、前記少なくとも２か所に配置された温度測定部の少なくとも一方が測定した温度が前記所定の温度より低い場合に、前記表示部の前記格納部への格納又は前記格納部からの引き出しをしないように制御するとともに、前記所定の温度よりも低い温度を測定した前記温度測定部に対応して配置された前記加熱部が前記表示部を加熱するよう制御することを特徴とする請求項２に記載の表示装置。
【請求項４】
前記加熱部は、前記格納部の内部に配置され、前記表示部を巻き取る巻き取り部を含むことを特徴とする請求項１乃至３のいずれかに記載の表示装置。
【請求項５】
前記制御部の指示に応じて、前記巻き取り部を回転させるアクチュエータを有し、
前記制御部は、前記アクチュエータの動作の可否を制御することで前記表示部の前記格納部への格納又は前記格納部からの引き出しをしないように制御することを特徴とする請求項４に記載の表示装置。
【請求項６】
ユーザによって前記巻き取り部を回転させる駆動部と、
前記駆動部による前記巻き取り部の回転をロックまたはアンロックするラッチと、を有し、
前記制御部は、前記ラッチによるロックまたはアンロックを制御することで前記表示部の前記格納部への格納又は前記格納部からの引き出しをしないように制御することを特徴とする請求項４に記載の表示装置。
【請求項７】
前記加熱部は、前記格納部の内部に配置され、前記表示部の表面及び裏面を挟むガイドローラを含むことを特徴とする請求項１乃至６のいずれかに記載の表示装置。
【請求項８】
前記加熱部は、前記表示部にマトリクス状に並べて配置された画素を含むことを特徴とする請求項１乃至７のいずれかに記載の表示装置。
【請求項９】
前記加熱部は、前記表示部にマトリクス状に並べて配置された画素のうち、前記表示部を格納する方向と直交する方向にそって、前記格納部の内部に配置された画素を含むことを特徴とする請求項８に記載の表示装置。
【請求項１０】
前記表示部と重畳して配置され、タッチされた位置とともに前記表示部の格納状況を検出するタッチセンサを有し、
前記制御部は、前記表示部の格納状況に応じて、前記格納部の内部に配置された画素を点灯することで前記加熱部が前記表示部を加熱するように制御することを特徴とする請求項９に記載の表示装置。
【請求項１１】
前記温度測定部は、前記表示部を格納する方向に向かって、前記表示部に所定の間隔で配置されることを特徴とする請求項１乃至１０のいずれかに記載の表示装置。
【請求項１２】
前記加熱部は、前記表示部の裏面に配置された電熱線を含むことを特徴とする請求項１乃至１１のいずれかに記載の表示装置。
【発明の詳細な説明】
【技術分野】
【０００１】
本発明は、表示装置に関する。
【背景技術】
【０００２】
近年、コンパクトに格納可能な表示部を有する表示装置の研究開発が進められている。当該表示装置は、表示部が可撓性を有することによって実現される。表示部の可撓性を向上させるため、表示部の形状が変化する前に表示部を加熱する方法が知られている。例えば下記特許文献１は、形状記憶樹脂フィルム上に形成された有機ＥＬディスプレイを引き出すときや格納するときに、有機ＥＬディスプレイを挟むように配置された回転軸とローラを加熱することで、形状記憶樹脂フィルムを加熱する点を開示している。また、下記特許文献２は、形状が可変の表示パネルに、当該表示パネルの温度を検出する検出手段を設ける点を開示している。
【先行技術文献】
【特許文献】
【０００３】
【特許文献１】特開２００６−０９１９００号公報
【特許文献２】特開２０１５−１７６０５７号公報
【発明の概要】
【発明が解決しようとする課題】
【０００４】
表示部の可撓性は、表示部の温度によって変化する。周囲の温度が低い場合に、表示部の可撓性は低下する。従って、周囲の温度が高い場合、表示部を加熱する必要がない。このような場合にも関わらず表示部を加熱した場合、表示装置は無駄な電力を消費してしまう。
【０００５】
また、表示部を加熱した結果、必要以上に温度が高くなった場合、表示装置として消費電力が大きくなるだけでなく、表示部が劣化し、寿命が短くなるという課題がある。
【０００６】
さらに、加熱が不十分な場合、表示部の温度が低く可撓性が不十分である場合もある。この場合、無理に表示部の形状を変化させると、表示部に応力がかかり、表示部が破損するおそれもある。
【０００７】
本発明は上記課題に鑑みてなされたものであって、その目的は、必要に応じて表示部を加熱することにより、低消費電力、長寿命かつ破損する可能性の低い表示装置を提供することにある。
【課題を解決するための手段】
【０００８】
本発明の一態様は、表示装置であって、可撓性を有する表示部と、前記表示部の一部または全部を変形させて格納する格納部と、前記表示部を加熱する加熱部と、前記表示部の温度を測定する温度測定部と、前記温度測定部が測定した温度に応じて、前記表示部の前記格納部への格納又は前記格納部からの引き出しを制御するとともに、前記表示部の前記格納部への格納又は前記格納部からの引き出しをしないように制御する場合に前記加熱部が前記表示部を加熱するように制御する制御部と、を有することを特徴とする。
【図面の簡単な説明】
【０００９】
【図１】第１の実施形態に係る表示装置の概略を示す図である。
【図２】第１の実施形態に係る表示装置の概略を示す図である。
【図３】第１の実施形態に係る表示装置の概略を示す図である。
【図４】表示装置の機能的なブロック図である。
【図５】表示装置が行う動作を示すフローチャートである。
【図６】第２の実施形態に係る表示装置の概略を示す図である。
【図７】第３温度測定部の温度センサを示す図である。
【発明を実施するための形態】
【００１０】
以下に、本発明の各実施の形態について、図面を参照しつつ説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して詳細な説明を適宜省略することがある。
【００１１】
また、下記の各実施形態においては、開示例として有機ＥＬ表示装置の場合を例示したが、その他の適用例として、液晶表示装置、その他の自発光型表示装置、あるいは電気泳動素子等を有する電子ペーパー型表示装置等あらゆるフラットパネル型の表示装置が挙げられる。また、中小型から大型まで、特に限定することなく適用が可能であることは言うまでもない。
【００１２】
[第１の実施形態]
まず、第１の実施形態に係る表示装置１００の機械的な構成について説明する。図１（ａ）、図１（ｂ）、図２（ａ）、図２（ｂ）、図３（ａ）及び図３（ｂ）は、いずれも第１の実施形態に係る表示装置１００の概略を示す図である。図１（ａ）、図２（ａ）、図３（ａ）は、表示装置１００の上面から見た平面図である。図１（ｂ）は、図１（ａ）のＩ−Ｉ断面を示す図である。図２（ｂ）は図２（ａ）のII−II断面を示す図である。図３（ｂ）は図３（ａ）のIII−III断面を示す図である。
【００１３】
また、図１（ａ）及び図１（ｂ）は、表示部１０２を第１格納部１０６から全て引き出した状態を示す図である。図２（ａ）及び図２（ｂ）は、表示部１０２を第１格納部１０６から一部を引き出した状態を示す図である。図３（ａ）及び図３（ｂ）は、表示部１０２を全て第１格納部１０６に格納した状態を示す図である。
【００１４】
図１（ａ）及び（ｂ）に示すように、表示装置１００は、表示部１０２と、タッチセンサ１０４と、第１格納部１０６と、引き出し構造体１１２と、第２格納部１１４と、巻き取り部１１６と、ガイドローラ１１８と、第１温度測定部１２０と、第２温度測定部１２２と、アクチュエータ１２４と、ラッチ（図示なし）と、制御部１２６と、固定部１２８と、駆動回路１３０と、制御回路１３２と、接続線１３４と、を有する。
【００１５】
表示部１０２は、それぞれ複数の副画素で構成された複数の画素がマトリクス状に配置される。表示部１０２は、各画素が発光することにより表示領域１３６に画像を表示する。
【００１６】
タッチセンサ１０４は、表示部１０２と重畳して配置され、タッチされた位置とともに表示部１０２の格納状況を検出する。具体的には、タッチセンサ１０４は、主駆動電極１０８及び検出電極１１０の複数のペアと、付加駆動電極（図示なし）と、を有する。タッチセンサ１０４は、検出電極１１０の電圧変動によってタッチされた位置を検出するとともに、付加駆動電極の電圧変動によって表示部１０２の格納状況を検出する。
【００１７】
主駆動電極１０８及び検出電極１１０の複数のペアは、図面上右から左へ向かう方向（以下格納する方向１３８とする）に離間して配置され、相互に主静電容量を形成する。例えば、主駆動電極１０８は、格納する方向１３８及び格納する方向１３８と直交する方向に並べて配置された複数の菱形状の電極である。また、格納する方向１３８に並べて配置された複数の主駆動電極１０８は、各菱形状の部分を接続する配線によって、それぞれ電気的に接続される。一方、格納する方向１３８と直交する方向に並べて配置された複数の主駆動電極１０８は、電気的に接続されない。
【００１８】
検出電極１１０は、格納する方向１３８及び格納する方向１３８と直交する方向に並べて配置された複数の菱形状の電極である。また、格納する方向１３８に並べて配置された複数の検出電極１１０は、それぞれ電気的に接続されない。一方、格納する方向１３８と直交する方向に並べて配置された複数の検出電極１１０は、各菱形状の部分を接続する配線によって、電気的に接続される。なお、主駆動電極１０８及び検出電極１１０の形状はいずれも菱形以外の形状であってもよい。
【００１９】
格納する方向１３８に並べて配置された複数の主駆動電極１０８を接続する配線と、格納する方向１３８と直交する方向に並べて配置された複数の検出電極１１０を接続する配線と、は異なる層に形成される。これにより、主駆動電極１０８と検出電極１１０とは電気的に接続しないように形成される。また、主駆動電極１０８と検出電極１１０のペアは、それぞれがコンデンサの電極となって主静電容量を形成するように、表示パネルの表面に近接して配置される。
【００２０】
主駆動電極１０８は、駆動信号が入力される。検出電極１１０は、主静電容量を介して、駆動信号によって電圧が変化する。タッチセンサ１０４は、当該駆動信号の電圧変化によって、タッチされた位置を検出する。
【００２１】
付加駆動電極は、表示部１０２の裏面に配置され、格納状態に応じて検出電極１１０との間に付加静電容量が形成される。具体的には、例えば、表示部１０２の主駆動電極１０８及び検出電極１１０が配置された面の反対側の面の全面に配置される。
【００２２】
引き出された領域にある表示部１０２の検出電極１１０は、表示部１０２を挟んで配置された付加駆動電極との間にのみ付加静電容量が形成される。一方、巻き取り部１１６に巻き取られた領域では、検出電極１１０は、表示部１０２を挟んで配置された付加駆動電極に加えて、１周分内側（または外側）に配置された付加駆動電極との間に付加静電容量を形成する。具体的には、巻き取られた領域にある表示部１０２は、２層重ねて配置される。内側に配置された付加駆動電極と、１周外側に配置された検出電極１１０と、は近接して配置されるため、両電極間に付加静電容量が形成される。
【００２３】
従って、巻き取られた領域に配置されている検出電極１１０に対して形成されている付加静電容量は、引き出された領域に配置されている検出電極１１０に対して形成されている付加静電容量よりも大きい。これにより、タッチセンサ１０４は、付加静電容量の大きさの差を用いて、表示部１０２が巻き取り部１１６に巻き取られた位置を表す格納状態を検出する。
【００２４】
表示部１０２及びタッチセンサ１０４は、可撓性を有する。具体的には、表示部１０２及びタッチセンサ１０４は、格納された状態で巻き取り部１１６の周りに巻きつけられるように可撓性を有する。
【００２５】
第１格納部１０６は、表示部１０２の一部または全部を変形させて格納する。具体的には、第１格納部１０６は、内部に、引き出し構造体１１２、巻き取り部１１６、ガイドローラ１１８、第１温度測定部１２０、第２温度測定部１２２、アクチュエータ１２４及び制御部１２６が配置される。第１格納部１０６は、巻き取り部１１６が回転することで、表示部１０２の一部または全部を変形させて格納する。
【００２６】
引き出し構造体１１２は、第１格納部１０６と、第２格納部１１４と、の位置関係を規制する機構である。具体的には、例えば図１（ｂ）に示すように、引き出し構造体１１２は、平板が階段状に接続された形状である。表示部１０２が全て第１格納部１０６から引き出された状態で、引き出し構造体１１２は、最も引き伸ばされた状態となる。これにより、引き出し構造体１１２は、第１格納部１０６と第２格納部１１４が所定の距離より離れないように、第１格納部１０６と第２格納部１１４の位置関係を規制する。
【００２７】
また、引き出し構造体１１２は、伸縮する。具体的には、例えば図２（ｂ）に示すように、表示部１０２の一部が第１格納部１０６に格納された状態では、引き出し構造体１１２は、図１（ｂ）に示す引き出し構造体１１２の長さの半分程度に縮められる。さらに、図３（ｂ）に示すように、表示部１０２を全て第１格納部１０６に格納した状態では、引き出し構造体１１２は、最も短くなり、第１格納部１０６の内部に収容される。引き出し構造体１１２が伸縮することにより、表示装置１００の引き出された領域の大きさに応じて表示される画面の大きさを変えることが出来る。
【００２８】
巻き取り部１１６は、例えば円柱状の形状であって、主駆動電極１０８及び検出電極１１０が配置された面が内側または外側になるように表示部１０２の一部または全部を巻き取る。これにより、第１格納部１０６は、表示部１０２の一部または全部を筐体の内部に格納する。図１（ｂ）は、表示部１０２が全て第１格納部１０６から引き出された状態を示す。巻き取り部１１６は、図１（ｂ）の図面上時計回りに回転することによって、表示部１０２を巻き取る。図２（ｂ）に示すように、表示部１０２の一部が巻き取られた状態では、表示部１０２は、表示領域１３６を含む一部の領域が巻き取り部１１６に巻き取られる。さらに、図３（ｂ）に示すように、表示部１０２を全て第１格納部１０６に格納した状態では、表示部１０２は、第１格納部１０６の入口近傍の一部の領域を除く大部分が巻き取り部１１６に巻き取られる。なお、巻き取り部１１６の形状は、円柱状でなくてもよい。例えば、巻き取り部１１６は、多角柱でもよいし、多角柱の角を丸めた形状であってもよい。
【００２９】
ガイドローラ１１８は、第１格納部１０６の内部に、表示部１０２の表面及び裏面を挟むように配置される。具体的には、ガイドローラ１１８は、第１格納部１０６の入口近傍に、表示部１０２を挟んで配置されたロール対である。ガイドローラ１１８は、表示部１０２が巻き取り部１１６に巻き取られる際に生じる摺動摩擦を低減する。
【００３０】
本実施形態では、巻き取り部１１６及びガイドローラ１１８は、加熱部４１０（図４参照）の一部として形成される。具体的には、巻き取り部１１６及びガイドローラ１１８は、表面に通電により発熱する配線が配置され、制御部１２６の制御に基づいて発熱する。これにより、巻き取り部１１６は、巻き取られた表示部１０２を加熱する。また、ガイドローラ１１８は、ロール対に挟まれた表示部１０２を加熱する。
【００３１】
なお、巻き取り部１１６及びガイドローラ１１８は、内部にヒータが配置され、ヒータが発熱することによって巻き取り部１１６及びガイドローラ１１８の表面が発熱する構成としてもよい。また、加熱部４１０は、第１格納部１０６の内部の少なくとも２か所に配置されることが望ましいが、巻き取り部１１６及びガイドローラ１１８は、一方のみが表示部１０２を加熱してもよい。
【００３２】
第１温度測定部１２０及び第２温度測定部１２２は、表示部１０２の温度を測定する。具体的には、第１温度測定部１２０及び第２温度測定部１２２は、サーミスタ等の温度センサを有する抵抗温度計である。
【００３３】
また、第１温度測定部１２０及び第２温度測定部１２２は、少なくとも２か所に配置された加熱部４１０それぞれに対応して配置される。具体的には、第１温度測定部１２０は、ガイドローラ１１８近傍に配置され、第２温度測定部１２２は、巻き取り部１１６近傍に配置される。
【００３４】
例えば、図１（ｂ）乃至図３（ｂ）に示すように、第１温度測定部１２０は、ロール対の図面上上側のロールと第１格納部１０６の内壁との間に、表示部１０２表面の温度を検知できる程度に近い位置に配置される。
【００３５】
第２温度測定部１２２は、表示部１０２と巻き取り部１１６の接続部の下側に、表示部１０２が全て巻き取られた状態で表示部１０２裏面の温度を検知できる位置に配置される。なお、巻き取り部１１６及びガイドローラ１１８の一方のみが表示部１０２を加熱する場合は、当該一方の近傍にのみ第１温度測定部１２０または第２温度測定部１２２が配置されてもよい。
【００３６】
アクチュエータ１２４は、制御部１２６の制御に基づいて、巻き取り部１１６を回転させる。具体的には、アクチュエータ１２４は、例えばモータであって、制御部１２６の制御によって、巻き取り部１１６を時計回りまたは反時計回りに回転させる。
【００３７】
なお、表示装置１００は、アクチュエータ１２４の代わりに、またはアクチュエータ１２４に加えて、ユーザによって巻き取り部１１６を回転させる駆動部１２４を有する構成としてもよい。具体的には、例えば、駆動部１２４は、ぜんまいバネとラチェットを有する構成（いわゆるコードリール）であってもよい。ユーザがラチェットを動かすことによって、表示部１０２は巻き取られる。また、駆動部１２４は、巻き取り部１１６と接続されたハンドルであって、ハンドルを手動で回転することによって、表示部１０２が巻き取られるようにしてもよい。
【００３８】
ラッチは、アクチュエータ１２４及び駆動部１２４による巻き取り部１１６の回転をロックまたはアンロックする。具体的には、ラッチは、第１格納部１０６の内部に配置され、巻き取り部１１６の回転をロック又はアンロックする。なお、巻き取り部１１６がアクチュエータ１２４によって回転する場合には、表示装置１００はラッチを有しない構成としてもよい。
【００３９】
制御部１２６は、第１温度測定部１２０及び又は第２温度測定部１２２が測定した温度に応じて、表示部１０２の第１格納部１０６への格納又は第１格納部１０６からの引き出しを制御するとともに、表示部１０２の第１格納部１０６への格納又は第１格納部１０６からの引き出しをしないように制御する場合に、加熱部４１０が表示部１０２を加熱するように制御する。
【００４０】
具体的には、制御部１２６は、第１温度測定部１２０及び第２温度測定部１２２の少なくとも一方が測定した温度が所定の温度より低い場合に、表示部１０２の第１格納部１０６への格納又は第１格納部１０６からの引き出しをしないように制御する。例えば、制御部１２６は、アクチュエータ１２４の動作の可否を制御することで表示部１０２の第１格納部１０６への格納又は第１格納部１０６からの引き出しをしないように制御する。また、制御部１２６は、ラッチによるロックまたはアンロックを制御することで表示部１０２の第１格納部１０６への格納又は第１格納部１０６からの引き出しをしないように制御してもよい。
【００４１】
制御部１２６は、当該所定の温度よりも低い温度を測定した温度測定部に対応して配置された加熱部４１０が表示部１０２を加熱するように制御する。例えば、第１温度測定部１２０の測定した温度が所定の温度より低いと制御部１２６が判断した場合、制御部１２６は、第１温度測定部１２０の近傍に配置されたガイドローラ１１８に対して、発熱するよう指示する。また、第２温度測定部１２２の測定した温度が所定の温度より低いと制御部１２６が判断した場合、制御部１２６は、第２温度測定部１２２の近傍に配置された巻き取り部１１６に対して、発熱するよう指示する。
【００４２】
なお、巻き取り部１１６及びガイドローラ１１８の一方のみが表示部１０２を加熱する構成とする場合は、制御部１２６は、当該一方の近傍に配置された第１温度測定部１２０または第２温度測定部１２２が測定した温度が所定の温度より高いか否か判断する。制御部１２６は、所定の温度より高いと判断した場合、第１格納部１０６に表示部１０２が格納されるように制御し、所定の温度より低い場合に第１格納部１０６に表示部１０２が格納されないように制御する。
【００４３】
第２格納部１１４は、金属製または樹脂製の筐体である。第２格納部１１４は、表示部１０２の一部と、固定部１２８と、駆動回路１３０と、制御回路１３２と、接続線１３４と、を内部に収容する。
【００４４】
固定部１２８は、表示部１０２と第２格納部１１４の位置関係を固定する。具体的には、固定部１２８は、例えば直方体の形状であって、一の面が第２格納部１１４の内壁に固定され、他の面は表示部１０２の端部を固定する。これにより、表示部１０２と第２格納部１１４の位置関係を固定する。
【００４５】
駆動回路１３０は、各画素に供給する電源や信号を生成する。具体的には、例えば、駆動回路１３０は、各画素に供給する電源や信号を生成するＩＣである。駆動回路１３０は、各副画素に配置された駆動トランジスタに対してソースとドレインの間を導通させるための電位を印加すると共に、各データ信号線に対して階調値に対応する電流を流す。駆動回路１３０によって、表示部１０２は、表示領域１３６に画像を表示する。
【００４６】
制御回路１３２は、駆動回路１３０の動作を制御する。接続線１３４は、導電性を有する材料で形成され、駆動回路１３０と制御回路１３２を電気的に接続する。
【００４７】
続いて、表示装置１００の機能的な構成について説明する。図４は、表示装置１００の機能的なブロック図である。表示装置１００は、表示部１０２と、タッチセンサ１０４と、第１温度測定部１２０と、第２温度測定部１２２と、制御部１２６と、加熱部４１０と、アクチュエータ１２４と、を有する。
【００４８】
表示部１０２は、外部装置から取得した映像信号に基づいて、画像を表示する。タッチセンサ１０４は、ユーザにタッチされた位置を表す座標情報を制御部１２６に送信する。第１温度測定部１２０及び第２温度測定部１２２は、それぞれ測定した温度情報４０２を制御部１２６に送信する。なお、図４では、第１温度測定部１２０及び第２温度測定部１２２がそれぞれ複数の温度センサを含む構成を記載しているが、温度センサは１個であってもよい。
【００４９】
制御部１２６は、第１判定部４０４と、第２判定部４０６と、駆動制御部４０８と、を有する。第１判定部４０４は、第１温度測定部１２０から取得した温度情報４０２に基づいて、第１温度測定部１２０の近傍における表示部１０２の温度が所定の温度より高いか否かを判定する。同様に、第２判定部４０６は、第２温度測定部１２２から取得した温度情報４０２に基づいて、第２温度測定部１２２の近傍における表示部１０２の温度が所定の温度より高いか否かを判定する。
【００５０】
なお、第１判定部４０４と第２判定部４０６が判定する際に基準とする温度は、同じであってもよいし、異なってもよい。例えば、表示部１０２の可撓性は、巻き取り部１１６に近いほどが高い必要があるため、第２判定部４０６の判定基準は第１判定部４０４の基準より高く設定されてもよい。また、表示部１０２の材料によって表示部１０２の可撓性は異なることから、第１判定部４０４と第２判定部４０６が判定する際に基準とする温度は、表示部１０２の材料によって異なる値が設定されてもよい。
【００５１】
駆動制御部４０８は、アクチュエータ１２４に対して巻き取り部１１６を回転させる旨の指示を行う。具体的には、第１判定部４０４及び第２判定部４０６がともに基準温度よりも高いと判定した場合に、駆動制御部４０８は、アクチュエータ１２４に対して巻き取り部１１６を回転させる旨の指示を行う。第１判定部４０４及び第２判定部４０６のいずれか一方が基準温度よりも低いと判定した場合に、制御部１２６は、アクチュエータ１２４に対して巻き取り部１１６を回転させる旨の指示を行わない。アクチュエータ１２４は、駆動制御部４０８の指示に基づいて、巻き取り部１１６を回転させる。
【００５２】
なお、駆動制御部４０８は、ラッチに対して、巻き取り部１１６の回転をロック又はアンロックする旨の指示を行ってもよい。具体的には、第１判定部４０４及び第２判定部４０６がともに基準温度よりも高いと判定した場合に、駆動制御部４０８は、ラッチに対して、巻き取り部１１６の回転をアンロックする旨の指示を行う。第１判定部４０４及び第２判定部４０６のいずれか一方が基準温度よりも低いと判定した場合に、制御部１２６は、ラッチに対して、巻き取り部１１６の回転をロックする旨の指示を行う。
【００５３】
加熱部４１０は、ガイドローラ１１８と、巻き取り部１１６と、を含む。具体的には、ガイドローラ１１８は、第１判定部４０４が基準温度よりも低いと判定した場合に、制御部１２６の制御に基づいて発熱する。また、巻き取り部１１６は、第２判定部４０６が基準温度よりも低いと判定した場合に、制御部１２６の制御に基づいて発熱する。
【００５４】
続いて、表示装置１００の動作について、フローチャートを用いて説明する。図５は、表示装置１００が行う動作を示すフローチャートである。なお、図５に示すフローは、ユーザが表示装置１００に対して、表示部１０２の格納または引き出しを指示した時点で開始する。
【００５５】
まず、第１温度測定部１２０及び第２温度測定部１２２は、表示部１０２の温度測定を行う（Ｓ５０２）。第１温度測定部１２０及び第２温度測定部１２２は、それぞれ測定した温度情報４０２を制御部１２６に送信する。
【００５６】
次に、制御部１２６は、メモリ（図示なし）に記憶された判定基準を読み込む（Ｓ５０４）。ここで、メモリは、制御部１２６の内部または制御部１２６に接続された不揮発性のメモリであって、予め第１判定部４０４及び第２判定部４０６が判定する際に基準とする温度情報４０２を記憶している。なお、Ｓ５０４の工程は、表示装置１００の起動後、１度実行されれば、その後省略されてもよい。
【００５７】
次に、第１判定部４０４及び第２判定部４０６は、第１温度測定部１２０及び第２温度測定部１２２から取得した温度情報４０２が表す温度が、メモリから読みだされた判定基準が表す温度より高いか否かを判定する（Ｓ５０６）。
【００５８】
第１判定部４０４及び第２判定部４０６がともに基準温度よりも高いと判定した場合に、制御部１２６は、加熱部４１０に対して、加熱を停止する旨の指示を行う（Ｓ５０８）。これにより、ガイドローラ１１８及び巻き取り部１１６がＳ５０６の時点で発熱している場合、ガイドローラ１１８及び巻き取り部１１６は、表示部１０２の加熱を停止する。
【００５９】
次に、制御部１２６は、アクチュエータ１２４に対して、回転する旨の指示を行う（Ｓ５１０）。具体的には、制御部１２６は、ユーザの指示に応じて、巻き取り部１１６が表示部１０２を巻き取る方向または表示部１０２が引き出される方向にアクチュエータ１２４を動作させる。なお、表示装置１００がラッチを有する場合には、制御部１２６は、ユーザの指示に応じて、ラッチに対して、アンロックする旨の指示を行う。
【００６０】
一方、Ｓ５０６において、第１判定部４０４及び第２判定部４０６の少なくとも一方が基準温度よりも低いと判定した場合に、制御部１２６は、表示部１０２の第１格納部１０６への格納又は第１格納部１０６からの引き出しをしないように制御する（Ｓ５１２）。具体的には、制御部１２６は、アクチュエータ１２４に動作する旨の指示を行わないことで、表示部１０２の第１格納部１０６への格納又は第１格納部１０６からの引き出しをしないように制御する。また、表示装置１００がラッチを有する場合には、制御部１２６は、ラッチに対して、ロックする旨の指示を行う。
【００６１】
次に、制御部１２６は、加熱部４１０に対して、加熱する旨の指示を行う（Ｓ５１４）。具体的には、第１判定部４０４が基準温度よりも低いと判定した場合、制御部１２６は、ガイドローラ１１８に対して、発熱するように指示する。また、第２判定部４０６が基準温度よりも低いと判定した場合、制御部１２６は、巻き取り部１１６に対して、発熱するように指示する。
【００６２】
次に、表示装置１００は、所定時間待機する（Ｓ５１６）。そして、所定時間経過後、再度Ｓ５０２のステップにおいて、第１温度測定部１２０及び第２温度測定部１２２は、表示部１０２の温度測定を行う。
【００６３】
以上の動作により、表示部１０２の温度が基準温度より高くなるまでは表示部１０２の加熱が継続され、基準温度より高くなった時点で加熱が停止される。これにより、表示部１０２の温度が低く、破損のおそれがある場合には表示部１０２が加熱され、表示部１０２の温度が十分に高く破損のおそれがない場合には、加熱を停止することができる。従って、必要に応じて表示部１０２を加熱することにより、低消費電力、長寿命かつ破損する可能性の低い表示装置１００を実現できる。
【００６４】
上記フローチャートでは、表示部１０２を格納する場合と引き出す場合とで、特に異なる処理を行っていない。処理フローは、格納する場合と引き出す場合とで変更されてもよい。
【００６５】
具体的には、表示部１０２を格納する場合であって、第１温度測定部１２０の測定した温度が所定温度より低いと判定された場合、表示装置１００が置かれた環境の温度は、所定の温度より低い可能性が高い。そのため、Ｓ５１４においてガイドローラ１１８の発熱が開始した後、Ｓ５０６において所定の温度より高いと判定された場合であっても、制御部１２６は、格納動作を終了するまでガイドローラ１１８を発熱したままに制御してもよい。すなわち、表示部１０２を格納する場合に、一度Ｓ５１２のステップを経由した場合、Ｓ５０８のステップを処理しないようにしてもよい。ここで、制御部１２６は、巻き取り部１１６に対しては、図５に示したフロー通りの処理を行うようにしてもよい。
【００６６】
一方、第１格納部１０６の内部の温度は、表示装置１００が置かれた環境の温度よりも高い可能性が高い。従って、表示部１０２を引き出す場合、制御部１２６は、図５に示したフロー通りの処理を行うようにしてもよい。格納する場合と引き出す場合とで異なる処理を行うことにより、第１温度測定部１２０が誤動作した場合であっても、表示部１０２の破損を避けることができる。
【００６７】
[第２の実施形態]
続いて、第２の実施形態について説明する。図６（ａ）及び図６（ｂ）は、第２の実施形態に係る表示装置１００の機械的な構成を示す図である。図６（ａ）は、表示装置１００の上面から見た平面図である。図６（ｂ）は、図６（ａ）のVI−VI断面を示す図である。図６（ａ）に示すように、表示装置１００の上面から見た平面図は、第１の実施形態と同様である。第２の実施形態は、表示装置１００が加熱部４１０の構成と第３温度測定部６０２を有する点が第１の実施形態と異なる。その他の点については、第１の実施形態と同様であるため、説明を省略する。また、図６（ａ）において、主駆動電極１０８及び検出電極１１０の記載は省略している。
【００６８】
加熱部４１０は、表示部１０２の裏面に配置された電熱線６０４を含む。具体的には、図６（ａ）に示すように、電熱線６０４は、格納する方向１３８に直交する方向にそって、複数配置される。各電熱線６０４は、格納する報告１３８と直交する方向にそって、ジグザグ形状に形成される。各電熱線６０４は、表示部１０２の裏面に配置される。電熱線６０４をジグザグ形状に形成することにより表示部１０２を均一に加熱することができるが、電熱線６０４の形状は直線状であってもよい。第２の実施形態では、巻き取り部１１６及びガイドローラ１１８は、加熱部４１０の一部として形成されてもよいし、巻き取り部１１６及びガイドローラ１１８は加熱部に含まれない構成としてもよい。
【００６９】
第３温度測定部６０２は、格納する方向１３８に向かって、表示部１０２に所定の間隔で配置される。具体的には、第３温度測定部６０２は、表示部１０２の端部に、格納する方向１３８にそって並べて配置される。また、第３温度測定部６０２は、表示部１０２の内部に内蔵された温度センサを有する。第２の実施形態では、表示装置１００は、第１温度測定部１２０及び第２温度測定部１２２をそれぞれ有する構成としてもよいし、有しない構成としてもよい。
【００７０】
図７（ａ）及び図７（ｂ）は、表示部１０２の内部に内蔵された温度センサを示す図である。図７（ａ）に示すように、温度センサは、薄膜トランジスタである。第３温度測定部６０２は、薄膜トランジスタのドレイン７０２とソース７０４の間に一定の電圧を印加した状態でゲート７００とソース７０４の間の電圧を変化させた時に、ドレイン７０２とソース７０４の間に流れる電流（ドレインソース間電流７０６）から得られる半導体の移動度に基づいて温度を測定する。第３温度測定部６０２が表示部１０２の内部に内蔵された温度センサを有する構成とすることにより、表示素子に含まれる薄膜トランジスタを形成する工程と同じ工程で温度センサを形成することができる。これにより、表示装置１００の製造コストを低減できる。また、温度センサを表示部１０２に内蔵することにより、第１の実施形態よりも表示部１０２に近い場所に温度センサを配置できるため、第３温度測定部６０２は、正確な温度を測定できる。
【００７１】
図７（ｂ）に示すように、温度センサは、液晶セル７０８であってもよい。液晶セル７０８は、一対の基板７１０、７１２と、それらに挟持された液晶材料７１４とを有する。液晶セル７０８の誘電率、屈折率、反射率、または、光の散乱は、液晶セル７０８の温度に依存して変化する。第３温度測定部６０２は、液晶セル７０８の誘電率、屈折率、反射率、または、光の散乱等を測定することで温度を測定してもよい。液晶セル７０８を構成する基板７１０、７１２のいずれか一方、又は両方が、表示部１０２を構成する可撓性基板であっても良い。表示部１０２を液晶表示部として形成する場合、温度センサが液晶セル７０８を有する構成とすることにより、表示装置１００の製造コストを低減できる。
【００７２】
また、加熱部４１０は、表示部１０２にマトリクス状に並べて配置された画素を含む構成としてもよい。具体的には、加熱部４１０は、表示部１０２にマトリクス状に並べて配置された画素のうち、格納する方向１３８と直交する方向にそって、第１格納部１０６の内部に配置された画素を含んでもよい。表示部１０２にマトリクス状に並べて配置された画素は、表示装置１００の外部から映像信号を入力されることで発光する。画素が発光するとき、画素に電流が流れることによって画素は発熱する。加熱部４１０は、画素の発熱によって、加熱されてもよい。
【００７３】
ここで、第１の実施形態と同様に、タッチセンサ１０４は、表示部１０２と重畳して配置され、タッチされた位置とともに表示部１０２の格納状況を検出する。制御部１２６は、タッチセンサ１０４が検出した表示部１０２の格納状況に応じて、第１格納部１０６の内部に配置された画素を点灯することで表示部１０２を加熱するように制御する。
【００７４】
なお、画素は白表示である場合に最も大きい電流が流れる。そのため、制御部１２６は、第１格納部１０６の内部に配置された全ての画素を白表示に制御することが望ましい。また、制御部１２６は、第１格納部１０６の内部に配置された全ての画素を白表示に制御するのではなく、格納時または引き出し時に、表示部１０２の形状が変化する直前の領域に配置された画素のみを白表示に制御してもよい。
【００７５】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００７６】
１００  表示装置、１０２  表示部、１０４  タッチセンサ、１０６  第１格納部、１０８  駆動電極、１１０  検出電極、１１２  引き出し構造体、１１４  第２格納部、１１６  巻き取り部、１１８  ガイドローラ、１２０  第１温度測定部、１２２  第２温度測定部、１２４  駆動部、１２６  制御部、１２８  固定部、１３０  駆動回路、１３２  制御回路、１３４  接続線、１３６  表示領域、１３８  格納する方向、４０２  温度情報、４０４  第１判定部、４０６  第２判定部、４０８  駆動制御部、４１０  加熱部、６０２  第３温度測定部、６０４  電熱線、７００  ゲート、７０２  ドレイン、７０４  ソース、７０６  ドレインソース間電流、７０８  液晶セル。
【図１】
2019219449.tif 000003
【図２】
2019219449.tif 000004
【図３】
2019219449.tif 000005
【図４】
2019219449.tif 000006
【図５】
2019219449.tif 000007
【図６】
2019219449.tif 000008
【図７】
2019219449.tif 000009